(57)【特許請求の範囲】
【請求項１】
天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、
前記センターパネルには所定高さの脚部を介して前記フィルタを支持し、このフィルタと一体的に前記センターパネルを昇降自在に形成し、このセンターパネルが上昇して、前記フィルタが前記化粧パネルのフィルタ受け部に嵌合する時、当該フィルタを傾動させる傾動機構を設けたことを特徴とする天井埋込型空気調和装置。
【請求項２】
前記傾動機構は、前記フィルタに突設されるピンを前記センターパネルの脚部のピン孔に挿入し、且つ前記脚部と前記フィルタとの間にクッション材を介装して構成されることを特徴とする請求項１に記載の天井埋込型空気調和装置。
【請求項３】
前記傾動機構は、前記センターパネルの中心から所定距離だけずらして前記脚部に設けたピン孔に、前記フィルタに突設されるピンを挿入して構成されることを特徴とする請求項１に記載の天井埋込型空気調和装置。
【発明の詳細な説明】
【０００１】
【発明の属する技術分野】
本発明は、二方向カセット型の天井埋込型空気調和装置の改良に関する。
【０００２】
【従来の技術】
一般に、天井内に埋設される本体の下端に、吹出口を有する化粧パネルを設け、この化粧パネルの中央開口の奥部にはフィルタを設け、前記開口の前部には両側に吸込口を残すように板金製のセンターパネルを設けた天井埋込型空気調和装置は知られている。この種のものでは、例えばフィルタを交換、清掃等する場合、センターパネルを外して、フィルタを取り外し、このフィルタを清掃してから再び、清掃済みのフィルタを取り付け、その後にセンターパネルを取り付けるようにしている。しかしながら、従来の構成では、フィルタを取り外す時に、ごみが落下するので、衛生上好ましくないし、またフィルタの取り外しは高所での作業となるので、安全上好ましくないという問題がある。
【０００３】
これを解消するために、板金製のセンターパネルに所定高さの脚部を介してフィルタを支持し、このフィルタと一体的に吊りひもを用いてセンターパネルを昇降自在に形成し、フィルタを交換する時にはセンターパネルをフィルタごと降下させて、このフィルタを低所で交換できるようにすることが考えられる。
【０００４】
【発明が解決しようとする課題】
このように吊りひもを用いてフィルタを昇降式にすると、センターパネルが上昇して、フィルタが化粧パネルのフィルタ受け部に嵌合する時、センターパネルが揺れて、フィルタの端部がフィルタ受け部に片当たりすることが起こり得る。フィルタの端部がフィルタ受け部に片当たりすると、それ以上センターパネルを上昇させることはできなくなり、無理にセンターパネルを上昇させようとすれば、過大な力がフィルタに作用してフィルタが変形するおそれがある。
【０００５】
そこで、本発明の目的は、センターパネルが上昇する時に、センターパネルが揺れても、センターパネルに支持されるフィルタが、化粧パネルのフィルタ受け部にほぼ確実に収納される天井埋込型空気調和装置を提供することにある。
【０００６】
【課題を解決するための手段】
請求項１に記載の発明は、天井内に埋設される本体の下端に、吹出口を有する化粧パネルを設け、この化粧パネルの中央開口の奥部には吸込空気を清浄化するためのフィルタを設け、前記中央開口を両側に吸込口空間を残して塞ぐセンターパネルを設けた天井埋込型空気調和装置において、前記センターパネルには所定高さの脚部を介して前記フィルタを支持し、このフィルタと一体的に前記センターパネルを昇降自在に形成し、このセンターパネルが上昇して、前記フィルタが前記化粧パネルのフィルタ受け部に嵌合する時、当該フィルタを傾動させる傾動機構を設けたものである。
【０００７】
請求項２に記載の発明は、請求項１に記載のものにおいて、前記傾動機構は、フィルタに突設されるピンをセンターパネルの脚部のピン孔に挿入し、且つ前記脚部と前記フィルタとの間にクッション材を介装して構成されることを特徴とするものである。
【０００８】
請求項３に記載の発明は、請求項１に記載のものにおいて、前記傾動機構は、前記センターパネルの中心から所定距離だけずらして前記脚部に設けたピン孔に、前記フィルタに突設されるピンを挿入して構成されることを特徴とするものである。
【０００９】
これらの発明によれば、センターパネルが上昇して、フィルタが化粧パネルのフィルタ受け部に嵌合する時、例えば、センターパネルが揺れて、フィルタの端部が、仮にフィルタ受け部に片当たりしたとしても、片当たりした一方の部分が傾くように、フィルタは傾動するので、他方の部分が先にフィルタ受け部に回り込む。しかる後、センターパネルの上昇が継続されると、一方の部分もフィルタ受け部に回り込み、結局、フィルタは水平となって、このフィルタは化粧パネルのフィルタ受け部の所定の位置に格納される。
【００１０】
これによれば、傾動機構を通じてフィルタが傾動するので、片当たり後にセンターパネルの上昇が継続してもフィルタに過大な力が作用することはなく、フィルタの変形は抑えられる。
【００１１】
【発明の実施の形態】
以下、本発明の一実施の形態を図面を参照して説明する。
【００１２】
図１において、符号１は天井内に埋設される箱形の本体を示している。この本体１の内部には、図２に示すように、熱交換器３、送風機５等が収納されている。本体１の下端には、両端に吹出口７を有する化粧パネル９が固定され、この化粧パネル９の中央開口の奥部には、板金製のフィルタ受け部材１１が嵌合されている。このフィルタ受け部材１１の受け部１１ａには吸込空気を浄化するフィルタ１３が当接している。また化粧パネル９の中央開口の前部には、両側に吸込口１５としての空間を残すように板金製のセンターパネル１７が設けられる。
【００１３】
この板金製のセンターパネル１７には、図１に示すように、吸込空気を浄化する前述したフィルタ１３が支持されており、これらは一体となって、四本の吊りひも１９を介して、化粧パネル９に昇降自在に吊持されている。
【００１４】
図３に示すように、センターパネル１７の四ヶ所には四本の吊りひも１９の一端１９ａがそれぞれ止着され、各吊りひも１９の他端１９ｂは上方へ延出して、それぞれローラ２１に巻かれた後に、ほぼ水平に延出し、図４に示すように、昇降機構２３につながれている。この昇降機構２３は、板金製のプレート２４上に固定され、この板金製のプレート２４は、図１に示すように、化粧パネル９の中央の開口のほぼ中央位置に掛け渡されている。
【００１５】
この昇降機構２３は、図４に示すように、四個のプーリ２５を有し、各プーリ２５には、前述した各吊りひも１９の他端１９ｂが止着されている。四個のプーリ２５は、一本のシャフト２７の両端部に二個ずつ分けて連結され、この一本のシャフト２７は、ギヤ２９，３１を介してモータ３３の出力軸に連結されている。３５，３７は軸受けである。
【００１６】
各プーリ２５には、図５に示すように、クラッチを含む動力伝達機構が付設される。図５は、シャフト２７の一端のみを図示し、このシャフト２７の端部にはストッパ３９、ゴム材４１、スペーサ４３、ばね４５、ゴム材４６、ばね座４７、皮材４９、二個のプーリ２５，２５、皮材５１、ばね座５３、ゴム材５４、ばね５５、スペーサ５７、ゴム材５８、及びストッパ５９の順に嵌め込まれ、両側に位置するストッパ３９，５９が、図６に示すように、所定の間隔をあけてシャフト２７にねじ６２で止着されると、動力伝達機構が構成される。
【００１７】
これによると、シャフト２７が回転する時、通常であれば、ばね４５，５５のばね力で発生する摩擦力により、シャフト２７にプーリ２５，２５が連結されるので、プーリ２５に動力が伝達され、プーリ２５はこのシャフト２７と一体に回転して、それぞれの吊りひも１９は繰り出し／巻き取りされる。
【００１８】
なお、各吊りひも１９は、各プーリ２５，２５に対して同一方向に巻回されるが、図６に示すように、一方の吊りひも１９はプーリ２５の上縁から引き出され、他方の吊りひも１９はプーリ２５の下縁から引き出されることにより、同時に繰り出し／巻き取りが行われる。
【００１９】
ところが、プーリ２５，２５がそれぞれの吊りひも１９を所定時間の間完全に巻き取ったとしても、各吊りひも１９の長さのばらつきに起因して、前述したセンターパネル１７が化粧パネル９の所定の位置に格納されずに、斜めになったりする場合がある。一般には、このような場合を想定して、プーリ２５，２５が吊りひも１９を所定時間の間完全に巻き取って、センターパネル１７がほぼ上昇しきったであろうと推定されても、更に所定時間、例えば、４〜５秒の間シャフト２７を回転させて、プーリ２５，２５によって吊りひも１９を巻き取る動作が行われる。この場合には、早く巻き取られたプーリ２５は、前述のクラッチが動作して、空回りする。即ち、吊りひも１９を完全に巻き取っているプーリ２５は最早巻き取るものがないのであるから、その位置において、各ばね４５，５５のばね力により発生する摩擦力に抗して空回りする。
【００２０】
この実施の形態によれば、センターパネル１７は板金製であり、重量が重くて昇降させる場合にはかなりのトルクを必要とする。シャフト２７を回転させて、プーリ２５を回転させる場合、前述のようにトルクの伝達はばね４５，５５が司る。このトルクの伝達を確実なものにするために、ストッパ３９とスペーサ４３との間にゴム材４１が介装され、スペーサ４３とばね座４７との間にゴム材４６が介装され、ばね座４７とプーリ２５との間に皮材４９が介装される。また、プーリ２５とばね座５３との間に皮材５１が介装され、ばね座５３とスペーサ５７との間にゴム材５４が介装され、更にスペーサ５７とストッパ５９との間にゴム材５８が介装される。
【００２１】
長期間に亘る実証試験の結果では、プーリ２５に摺接する側にスリップ止めとしての皮材４９，５１を介装し、そうでない側にゴム材４１，４６，５４，５９を介装することにより、最も良好にトルク伝達できることが判明している。
【００２２】
この実施の形態によれば、昇降機構２３は、化粧パネル９の開口の中央に配置されるので、四本の吊りひも１９の長さを等しくすることができ、繰り出し／巻き取り時には、同じ力で懸吊するので、力のバランスをとることができる。従って、特にセンターパネル１７のように重量の重いものを吊り上げる場合にも、モータ３３等を含む昇降機構２３に過度な力がかかることはなく、センターパネル１７をスムーズに昇降させることができる。
【００２３】
この実施の形態によれば、図３、及び図７〜図９に示すように、板金製のセンターパネル１７には、脚部６３を介して、吸込空気を浄化するフィルタ１３が連結されている。このフィルタ１３は、図９に示すように、センターパネル１７が化粧パネル９の所定の位置に格納されると、フィルタ受け部材１１の受け部１１ａに当接する。この状態で、センターパネル１７の両側の吸込口１５から、矢印で示すように空気が吸い込まれると、図２を参照してこの空気はフィルタ１３を通って送風機５に吸い込まれ、送風機５から吐出され、熱交換器３を通って熱交換した後、化粧パネルの両端の吹出口７から被調和空間に吐出される。
【００２４】
図７に示すように、フィルタ１３の巾とフィルタ受け部材１１の収容巾間の寸法差はきわめて少ない。従って、センターパネル１７が上昇して、当該センターパネル１７が化粧パネル９の所定の位置に格納される時、図８に示すように、仮にセンターパネル１７が揺れて、中心が図中左側に動いた状態で上昇したとすると、フィルタ１３の端部１３ｂが、フィルタ受け部材１１の受け部１１ａに当接せず、肩部１１ｂに当たり、フィルタ１３及びセンターパネル１７が、正常な位置に格納されなくなるといったトラブルが発生する。
【００２５】
これを解消するために、センターパネル１７の脚部６３には、フィルタ１３を傾動させるための傾動機構６５が設けられる。
【００２６】
この傾動機構６５は、図７に示すように、脚部６３に略くの字状の孔６３ａを設け、この孔６３ａにフィルタ１３のピン１３ａ（図３）を嵌入し、更に脚部６３とフィルタ１３との間にクッション材６７を介装して構成される。この構成によれば、フィルタ１３は脚部６３にピン１３ａで連結され、しかも両者の中間にはクッション材６７が介在するので、仮にフィルタ１３に過大な力が作用したとしても、フィルタ１３はピン１３ａを中心にして傾動する。
【００２７】
この実施の形態によれば、図７に示すように、センターパネル１７が上昇中にこのセンターパネル１７が揺れて、図８に示すように、仮にフィルタ１３が肩部１１ｂに片当たりしたとしても、このフィルタ１３は、クッション材６７を変形させるようにしてピン１３ａ回りに傾動するので、フィルタ１３は肩部１１ｂを避けて回り込み、図９に示すように、正常な位置に格納される。
【００２８】
従って、フィルタ１３は水平に維持されるので、肩部１１ｂに片当たりした後に、センターパネル１７の上昇が継続したとしても、フィルタ１３に過大な力が作用することはなく、フィルタ１３の変形は抑えられる。
【００２９】
尚、センターパネル１７が化粧パネル９の所定の位置に格納された場合には、化粧パネル９の中央開口部に突出ピン２０１（図１）が、センターパネル１７に設けられる受け部２０３の凹部（図３）に係合し、これによりセンターパネル１７は位置決めされる。
【００３０】
つぎに、別の実施の形態について説明する。
【００３１】
図１０〜図１３に示すように、この傾動機構６５は、センターパネル１７の中心から所定距離Ｌだけ脚部６３をずらして、このずらした脚部６３のピン孔６３ａにフィルタ１３に突設されるピン１３ａを挿入して構成される。
【００３２】
このフィルタ１３は、図１３に示すように、センターパネル１７が化粧パネル９の所定の位置に格納されると、フィルタ受け部材１１の受け部１１ａに当接する。この状態で、センターパネル１７の両側の吸込口１５から、矢印で示すように空気が吸い込まれると、この空気はフィルタ１３を通って送風機５に吸い込まれ、送風機５から吐出され、熱交換器３を通って熱交換した後、化粧パネル９の両端の吹出口７から被調和空間に吐出される。
【００３３】
センターパネル１７が上昇して（図１０）、当該センターパネル１７が化粧パネル９の所定の位置に格納される時、この実施の形態によれば、図１１に示すように、フィルタ１３は最初から図中で左側が下がるように傾いているので、仮にセンターパネル１７が揺れて、中心が図中右側に動いた状態で上昇したとしても、フィルタ１３の図中右側の一方の端部１３ｂは、フィルタ受け部材１１の肩部１１ｂに当たることはなく、この肩部１１ｂを避けるようにして、うまくフィルタ受け部材１１の受け部１１ａに回り込む。
【００３４】
その後、更にセンターパネル１７が上昇すると、図１２に示すように、フィルタ１３の片当たりした一方の端部１３ｂが支点となって、他方の端部１３ｃが押し上げられるので、フィルタ１３は水平となってこのフィルタ１３は化粧パネル９のフィルタ受け部の所定の位置に格納される（図１３）。
【００３５】
これによれば、傾動機構を通じてフィルタ１３が傾動するので、片当たりした後にセンターパネル１７の上昇が継続しても、フィルタ１３に過大な力が作用することはなく、フィルタ１３の変形は抑えられる。
【００３６】
以上、一実施の形態に基づいて本発明を説明したが、本発明は、これに限定されるものでないことは明らかである。
【００３７】
例えば、二方向カセット型の空気調和装置について説明したが、四方向カセット型のものにも適用は可能であり、またセンターパネルに限定されず、格子孔を有する吸込グリルの昇降装置にも適用は可能である。
【００３８】
【発明の効果】
これらの発明によれば、センターパネルが上昇して、フィルタが化粧パネルのフィルタ受け部に嵌合する時、例えば、センターパネルが揺れて、フィルタの端部が、仮にフィルタ受け部に片当たりしたとしても、片当たりした一方の部分が傾くように、フィルタは傾動するので、他方の部分が先にフィルタ受け部に回り込む。しかる後、センターパネルの上昇が継続されると、一方の部分もフィルタ受け部に回り込み、結局、フィルタは水平となって、このフィルタは化粧パネルのフィルタ受け部の所定の位置に格納される。
【００３９】
これによれば、傾動機構を通じてフィルタが傾動するので、片当たり後にセンターパネルの上昇が継続してもフィルタに過大な力が作用することはなく、フィルタの変形は抑えられる。
【図面の簡単な説明】
【図１】本発明による天井埋込型空気調和装置の一実施の形態を示す斜視図である。
【図２】同じく断面図である。
【図３】センターパネルを示す斜視図である。
【図４】昇降機構を示す平面図である。
【図５】クラッチ機構を示す斜視図である。
【図６】図５の要部の拡大図である。
【図７】傾動機構の説明図である。
【図８】傾動機構の説明図である。
【図９】傾動機構の説明図である。
【図１０】別の実施の形態による傾動機構の説明図である。
【図１１】傾動機構の説明図である。
【図１２】傾動機構の説明図である。
【図１３】傾動機構の説明図である。
【符号の説明】
１  本体
３  熱交換器
５  送風機
７  吹出口
９  化粧パネル
１１  フィルタ受け部材
１３  フィルタ
１３ａ  ピン
１５  吸込口
１７  センターパネル
１９  吊りひも
６３  脚部
６３ａ  孔
６５  傾動機構
６７  クッション材
【図１】
0003816169.tif 000002
【図２】
0003816169.tif 000003
【図３】
0003816169.tif 000004
【図４】
0003816169.tif 000005
【図５】
0003816169.tif 000006
【図６】
0003816169.tif 000007
【図７】
0003816169.tif 000008
【図８】
0003816169.tif 000009
【図９】
0003816169.tif 000010
【図１０】
0003816169.tif 000011
【図１１】
0003816169.tif 000012
【図１２】
0003816169.tif 000013
【図１３】
0003816169.tif 000014